(57)【要約】【課題】  テーパ状の複数の被保持物がまとめて保持された状態において、各被保持物の商品としての展示性を向上させることができるとともに、簡易かつ安定して各被保持物を保持する。【解決手段】  カートン７は、カップ容器２のうち外径寸法が底面４より大きい頂面３を被覆する主壁１０と、主壁９に対向するように配置し、各カップ容器２の周面５を保持する保持壁１０と、主壁９および保持壁１０を接続する第１接続壁１２、第２接続壁１８、第３接続壁１９とを有し、保持壁１０に、保持される各カップ容器２の数と同数であって、各カップ容器２における周面５に嵌合する大きさの保持用開口１６を設ける。【選択図】      図１
2006327646.tif 000002
【特許請求の範囲】
【請求項１】
頂面、底面、および前記頂面と前記底面とを接続する周面を有し、前記頂面の外径寸法と前記底面の外径寸法とが異なるテーパ状の複数の被保持物と、前記各被保持物を保持するカートンとを有する保持体において、
前記カートンは、前記頂面および前記底面のうち前記外径寸法が大きいいずれか一方を被覆する主壁と、
前記主壁に対向するように配置され、前記各被保持物の周面を保持する保持壁と、
前記主壁および前記保持壁を接続する接続壁とを有し、
前記保持壁に、保持される前記各被保持物の数と同数であって、前記各被保持物における前記周面に嵌合する大きさの保持用開口を設けることを特徴とする保持体。
【請求項２】
前記保持壁は、各被保持物の周面における前記主壁に被覆されている面に近接する部分を保持することを特徴とする請求項１に記載の保持体。
【発明の詳細な説明】
【技術分野】
【０００１】
本発明はカートンにより被保持物を保持してなる保持体に係り、特に、頂面および底面の外径寸法が異なるテーパ状の複数の被保持物と、各被保持物をまとめて保持するカートンとを有する保持体に関する。
【背景技術】
【０００２】
従来より、食品のカップ容器等として、頂面、底面、および前記頂面と前記底面とを接続する円筒状の周面を有し、頂面の外径寸法が底面の外径寸法よりも長いテーパ状の容器が多用されている。そして、このようなテーパ形状の容器としての複数の被保持物を保管してまとめて運搬するために、これら複数の被保持物を一体に保持するカートンが知られている。
【０００３】
このようなカートンは、例えば複数の被保持物の頂面を被覆する頂壁と、頂壁の両側辺に折曲可能に連設され、各被保持物の周面を被覆する一対の側壁と、両側壁の一側辺に折曲可能に連設され、各被保持物の底面を被覆する底壁とを有し、このカートンの両端部には、開口が形成されて筒状に構成されるようになっている。また、カートン内部に収容された各被保持物の周面を外部から見えるようにするために、両側壁における各被保持物の周面に対向する位置に、それぞれ視認用開口が形成されたカートンも考えられている（例えば、特許文献１参照）。
【０００４】
しかし、前述のようなカートンによれば、両側壁に視認用開口を形成しても、カートンの外部からは被保持物の周面のうち視認用開口から露出された狭い領域しか視認することができない。このため、前記カートンに各被保持物を収容した包装体を店頭に陳列した場合であっても、被保持物の周面全体を視認することができず、商品としての展示性が悪くなってしまうという問題を有していた。
【０００５】
また、筒状または箱状のカートンの内部にテーパ状の被保持物を保持する場合、各被保持物の周面は傾斜しているため、カートンの内部において各被保持物を整列配置させても、各被保持物の下端部分における各被保持物間に空隙が生じてしまい各被保持物の底部は固定されないこととなる。このため、前記各被保持物をカートンの内部において安定して収容するためには、各被保持物の底部を支持するための支持部材等を設けなければならなかった。
【０００６】
【特許文献１】特開平８−２１７１３７号公報
【発明の開示】
【発明が解決しようとする課題】
【０００７】
本発明はこれらの点に鑑みてなされたものであり、テーパ状の複数の被保持物がまとめて保持された状態において、各被保持物の商品としての展示性を向上させることができるとともに、簡易かつ安定して各被保持物を保持することができる保持体を提供することを目的とする。
【課題を解決するための手段】
【０００８】
前記目的を達成するため、本発明に係る保持体の特徴は、頂面、底面、および前記頂面と前記底面とを接続する周面を有し、前記頂面の外径寸法と前記底面の外径寸法とが異なるテーパ状の複数の被保持物と、前記各被保持物を保持するカートンとを有する保持体において、前記カートンは、前記頂面および前記底面のうち前記外径寸法が大きいいずれか一方を被覆する主壁と、前記主壁に対向するように配置され、前記各被保持物の周面を保持する保持壁と、前記主壁および前記保持壁を接続する接続壁とを有し、前記保持壁に、保持される前記各被保持物の数と同数であって、前記各被保持物における前記周面に嵌合する大きさの保持用開口を設けた点にある。
【０００９】
この本発明に記載の保持体によれば、各被保持物はテーパ形状であり、各カップ容器における各保持用開口に嵌合している周面の外径寸法よりも、前記周面の主壁側の外径寸法の方が大きい。このため、各保持用開口と各被保持物の周面とを嵌合させることにより、保持壁に保持された各被保持物を、保持体から抜け落ちることなく一体に保持することができる。そして、各被保持物を保持する保持壁を、さらに各接続壁を介して主壁により支持することができる。
【００１０】
さらに、各被保持物の周面を保持することにより、各被保持物の周面の一部分をカートンから露出させながら、各被保持物をまとめて保持することができる。
【００１１】
また、本発明において、前記保持壁は、各被保持物の周面における前記主壁に被覆されている面に近接する部分を保持することが好ましい。
【００１２】
これにより、さらに各被保持物の周面における広い範囲をカートンから露出させながら、各被保持物を保持することができる。
【発明の効果】
【００１３】
以上述べたように、本発明に係る保持体によれば、各被保持物を、保持壁および主壁によって２重に保持して保持することができ、さらに各保持物は各保持用開口に嵌合され、カートンから抜け落ちないように保持されているので、各被保持物を安定して保持することができる。
【００１４】
また、前記カートンの保持壁は、各被保持物の周面を保持するようになっており、各保持物の一部分はカートンから露出されるようになっているので、保持体を店頭等に陳列させた場合であっても、各被保持物の一部分の周面全体を視認することができ、各被保持物の商品としての展示性を向上させることができる。さらに、保持壁によって各被保持物の周面における主壁に被覆されている面に近接する部分を保持することにより、各被保持物をカートンからより露出させることができる。
【発明を実施するための最良の形態】
【００１５】
以下、本発明に係る保持体の一実施形態を図１から図３を参照して説明する。
【００１６】
図１は、本実施形態に係る保持体を示す斜視図、図２は、図１の保持体のカートンを構成するカートンブランクを示す平面図、図３は、図１のＡ−Ａにおける断面図である。
【００１７】
図１に示すように、保持体１は、被保持物として複数のカップ容器２を、図２２に示すようなカートンブランク８により保持されている。各カップ容器２は、円形状の頂面３および底面４と、頂面３および底面４を接続する円筒状の周面５とを有し、頂面３の外径寸法が底面４の外径寸法よりも長いテーパ状に形成されている。ここで、本実施形態の保持体１は、３つのカップ容器２を、１個のカップ容器２が配置された第１列と、第１列に隣位して２個のカップ容器２が並列配置された第２列との合計２列によって、平面形状が略三角形状となるように整列配置させて収容するものとする。
【００１８】
図２に示すように、保持体１のカートン７を構成するカートンブランク８は、一例として厚紙により形成されているが、プラスチックシートその他の材料により形成することも可能である。このカートンブランク８は、各カップ容器２のうち外径寸法が底面４よりも大きい頂面３を被覆する程度の大きさの略三角形状の主壁９を有している。
【００１９】
また、このカートンブランク８は、カートン７の完成時において主壁９と対向するように位置し各カップ容器２の周面５を保持するための保持壁１０を有しており、保持壁１０は、主壁９と同一形状の三角形状に形成されている。
【００２０】
主壁９における１辺には、長方形状の第１接続壁１２の一端辺が折曲線１３を介して連設され、第１接続壁１２の他端辺は、保持壁１０の一端辺に折曲線１４を介して連設されており、これにより主壁９と保持壁１０とは第１接続壁１２によって接続されている。第１接続壁１２は、主壁９と保持壁１０とを対向して位置させたときの主壁９と保持壁１０との間隙寸法に対応した幅寸法に形成されている。
【００２１】
保持壁１０には、各カップ容器２の周面５における上端部を保持するため、各カップ容器２の数と同数（本実施形態においては３つ）の円形状の保持用開口１６が設けられており、各保持用開口１６は、図３に示すように、各カップ容器２における周面５の所定位置において嵌合する大きさに形成されている。
【００２２】
詳しくは、各保持用開口１６は、保持壁１０における各カップ容器２の配置位置に相当する位置に、保持壁１０が配置される高さ位置における各カップ容器２の周面５の大きさとほぼ同一の大きさになるように形成されている。すなわち、各保持用開口１６の直径寸法は頂面３の直径寸法と比較して短くなるように形成されている。
【００２３】
保持壁１０における他の２辺には、長方形状の第２接続壁１８および第３接続壁１９の一端辺が折曲線２０，２１を介して連設されており、第２接続壁１８および第３接続壁１９は、第１接続壁１２の幅寸法と同一の幅寸法に形成されている。第２接続壁１８および第３接続壁１９の他端辺には、折曲線２３，２４を介して長方形状の折り込み片２５が連設されている。
【００２４】
主壁９における他の２辺には、主壁９と保持壁１０とを接続するための係止手段として突出タブ２７が折曲線２６を介して前記２辺から突出して形成されている。
【００２５】
各突出タブ２７は、カートン７の内部において所定位置に配置される各カップ容器２の間隙に相当する位置に形成されており、本実施形態においては、前記２辺の中央部に形成されている。
【００２６】
第２接続壁１８と折り込み片２５との間、および第３接続壁１９と折り込み片２５との間には、カートンブランク８の各折曲線１３，１４，２０，２１を折曲してカートン７を形成したとき主壁９の突出タブ２７と対向する位置に、係止手段としてのタブ挿入孔２８が切断線２９により形成されている。
【００２７】
次に、本実施形態の作用について説明する。
【００２８】
まず、カートンブランク８の状態において、各カップ容器２の底部を保持壁１０の各保持用開口１６にカートンブランク８の内面から挿入した後、各保持用開口１６と各カップ容器２の周面５とが嵌合する位置まで各カップ容器２を挿入する。
【００２９】
次に、各折曲線１３，１４を山折りに折曲して、主壁９と保持壁１０とを対向するように位置させることにより、主壁９によって各カップ容器２の頂面３を被覆するとともに、折曲線２０，２１を山折りに折曲して、各突出タブ２７と各タブ挿入孔２８とを対向するように位置させる。
【００３０】
さらに、各折り込み片２５の外面が主壁９の内面に接するように折曲線２３，２４を山折りに折曲するとともに、折曲線２６を山折りに折曲して各突出タブ２７を各タブ挿入孔２８に挿入して、各突出タブ２７を各タブ挿入孔２８に係止させる。
【００３１】
これにより、カートン７によって各カップ容器２をまとめて保持する保持体１を形成することができる。
【００３２】
本実施形態によれば、各カップ容器２はテーパ形状であり、各カップ容器２における各保持用開口１６に嵌合している周面５の外径寸法よりも、前記周面５の主壁９側の外径寸法の方が大きい。このため、各保持用開口１６と各カップ容器２の周面５とを嵌合させることにより、保持壁１０に保持された各カップ容器２が、保持体１から抜け落ちることはない。そして、各カップ容器２を保持する保持壁１０を、さらに各接続壁１２，１８，１９を介して主壁９により支持することができる。
【００３３】
また、各カップ容器２の周面５における上端部を保持することにより、各カップ容器２の周面５の下端部分をカートン７から露出させながら、各カップ容器２をまとめて保持することができる。
【００３４】
したがって、各カップ容器２を、保持壁１０および主壁９によって２重に保持して保持することができ、さらに各カップ容器２は各保持用開口１６に嵌合され、カートン７から抜け落ちないように保持されているので、各カップ容器２を安定して保持することができる。
【００３５】
また、カップ容器２の下端部分をカートン７から露出させながら複数のカップ容器２をまとめて保持することができるので、保持体１を店頭等に陳列させた場合であっても、各カップ容器２の周面５における広い範囲を視認することができ、各カップ容器２の商品としての展示性を向上させることができる。
【００３６】
さらに、各カップ容器２の周面５全体を被覆するカートンと比較して、カートン７の材料を省略することができ、カートン７の製造コストの低廉化を図ることができる。
【００３７】
なお、本発明は前記実施形態に限定されるものではなく、必要に応じて種々変更することが可能である。
【００３８】
例えば、本実施形態においては、突出タブ２７をタブ挿入孔２８に係止させることにより第２接続壁１８および第３接続壁１９を主壁９に接続するようにしているが、これに限定されず、他の係止手段を用いたり、あるいは接着剤により接着してもよい。
【００３９】
また、第２接続壁１８および第３接続壁１９を一対の接続片により構成し、一対の接続片のうち一方の一端辺を主壁９に、他方の一端辺を保持壁１０に連設して、各接続片の他端辺を係止したり、あるいは接着剤を用いて接続するものであってもよい。
【００４０】
さらに、本実施形態においては、円筒状の周面５を有する３つのカップ容器２を保持する場合を用いて説明したが、これに限定されず、頂面３と底面４との外径寸法が異なるテーパ状の被保持物であれば、三角錐、四角錐形状であってもよく、また保持する被保持物の数も本実施形態に限定されない。
【図面の簡単な説明】
【００４１】
【図１】本発明に係る保持体の一実施形態を示す斜視図
【図２】図１の保持体のカートンを構成するカートンブランクを示す平面図
【図３】図１のＡ−Ａにおける断面図
【符号の説明】
【００４２】
１  保持体
２  カップ容器
３  頂面
４  底面
５  周面
７  カートン
８  カートンブランク
９  主壁
１０  保持壁
１２  第１接続壁
１６  保持用開口
１８  第２接続壁
１９  第３接続壁
２５  折り込み片
２７  突出タブ
２８  タブ挿入孔
【図１】
2006327646.tif 000003
【図２】
2006327646.tif 000004
【図３】
2006327646.tif 000005